(57)【特許請求の範囲】
【請求項１】
駆動される２軸と、前記２軸にそれぞれに放射状に延びる複数体の破砕刃を備え対向して互いに逆方向に回転する２体の破砕用ロールとからなる２軸ロールクラッシャにおいて、前記破砕用ロールにより被破砕物が破砕される破砕空間の上方に位置する投入空間にある被破砕物を一時的に両側から押さえて強制的に停留させることにより被破砕物の流動を制御するための強制停留手段を備え、
前記強制停留手段は、
前記被破砕物を一方側から挟圧するための挟圧用対向体と、
前記挟圧用対向体に対して前記２軸が並ぶ方向に可動であり前記被破砕物を他方側から挟圧するための挟圧用可動体と
からなる２軸ロールクラッシャの流動制御装置。
【請求項２】
駆動される２軸と、
前記２軸にそれぞれに放射状に延びる複数体の破砕刃を備え対向して互いに逆方向に回転する２体の破砕用ロールとからなる２軸ロールクラッシャにおいて、前記破砕用ロールにより被破砕物が破砕される破砕空間の上方に位置する投入空間にある大きい被破砕物を一時的に両側から押さえて強制的に停留させることにより被破砕物の流動を制御するための強制停留手段を備え、
前記強制停留手段は、
前記被破砕物を一方側から挟圧するための挟圧用対向体と、
前記挟圧用対向体に対して前記２軸が並ぶ方向に可動であり前記被破砕物を他方側から挟圧するための挟圧用可動体と
からなる２軸ロールクラッシャの流動制御装置。
【請求項３】
駆動される２軸と、
前記２軸にそれぞれに放射状に延びる複数体の破砕刃を備え対向して互いに逆方向に回転する２体の破砕用ロールとからなる２軸ロールクラッシャにおいて、
前記破砕用ロールにより被破砕物が破砕される破砕空間の上方に位置する投入空間で前記破砕用ロールにより破砕されずに浮いた状態にある被破砕物を一時的に両側から押さえて強制的に停留させることにより被破砕物の流動を制御するための強制停留手段を備え、
前記強制停留手段は、
前記被破砕物を一方側から挟圧するための挟圧用対向体と、
前記挟圧用対向体に対して前記２軸が並ぶ方向に可動であり前記被破砕物を他方側から挟圧するための挟圧用可動体と
からなる２軸ロールクラッシャの流動制御装置。
【請求項４】
請求項１，２，３から選択される１項において、
前記挟圧用対向体と前記挟圧用可動体により被破砕物を破砕するパワーを持った破砕用可動手段により前記挟圧用可動体が駆動される
２軸ロールクラッシャの流動制御装置。
【請求項５】
請求項４において、
前記挟圧用対向体又は前記挟圧用可動体は破砕用刃面を備える
２軸ロールクラッシャの流動制御装置。
【請求項６】
請求項５において、
前記破砕用可動手段は油圧シリンダである
２軸ロールクラッシャの流動制御装置。
【請求項７】
駆動される２軸にそれぞれに放射状に延びる複数体の破砕刃を備え対向して互いに逆方向に回転する２体の破砕用ロールが被破砕物を破砕する破砕空間Ｓ２における破砕不能状態時に、投入空間Ｓ１の被破砕物を両側から強制的に挟圧して連続流れを強制的に停滞させ、複数体の被破砕物が前記破砕用ロールの両側の破砕刃により挟圧される多点挟圧系の被破砕物の破砕条件を変化させる
２軸ロールクラッシャの流動制御方法。
【発明の詳細な説明】
【０００１】
【産業上の利用分野】
本発明は、アスファルト廃棄物、大きい石のような従来破砕が困難であった１次破砕物を破砕するのに好適なロールクラッシャに関し、特に、被破砕物の連続流動を円滑にし破砕効率を向上させるための改良に関する。
【０００２】
【従来の技術】
ロールクラッシャは、互いに逆回転する２体の破砕用ロールを備え、２体の破砕用ロールの間に被破砕物を誘導し、同じ又は異なる位相の破砕刃で押しつぶし引きちぎるような作用により、粒径が大きい岩石などを２次破砕しその粒径を小さくするために広く用いられている。
【０００３】
形状は複雑で様々である被破砕物は、２体の破砕用ロールの間の破砕空間に円滑に誘導されず停滞することがある。特に、アスファルト廃棄物のような柔らかく薄板状のものは、下方に誘導されず２体の破砕用ロールにより持ち上げられ浮遊状態にさせられることがしばしば起こり、破砕効率が著しく低下している。
【０００４】
最近は、アスファルト廃棄物の処理に関して社会問題になっている。廃棄物が出る場所で能率良く小さく破砕して現場で骨材などとして再利用されることが、経済効率の点からも望まれている。
【０００５】
アスファルト廃棄物のような柔らかく薄板状のものを下方に誘導し破砕不能状態を回復させるようにしたロールクラッシャが、特開平７−２９９３７２号公開公報で知られている。このクラッシャによると、平板な被破砕物が縦方向に起こされて下部が両側の破砕ロールの間に誘導され、破砕不能状態が解消され破砕状態が回復する。
【０００６】
アスファルト廃棄物だけでなくコンクリートの破砕物を更に２次破砕して、アスファルト廃棄物もコンクリート破砕物も同時に現場で再利用する場合に、アスファルト廃棄物だけでなく各種のものを破砕することが望まれる。
【０００７】
アスファルト廃棄物だけでなく、大きい石も浮遊状態になりやすい。小さくても破砕されにくい形状の石が投入空間に集合すると破砕されなくなって多数の小石が集団的に浮遊する状態も起こる。混入状態の大小の石が両側の破砕刃の間に挟まれて多点接触系を形成する場合にも、接触多点の位置と各石の歪みの分布点との位置に関係する形状次第では、破砕不能状態に入ることが見受けられる。
【０００８】
【発明が解決しようとする課題】
この発明は、前記した技術的背景のもとで発明されたものであり、次のような目的を達成する。
【０００９】
本発明の目的は、多点接触系の状態を変更することにより破砕不能状態を解消する２軸ロールクラッシャの流動制御装置及びその流動制御方法を提供することにある。
【００１０】
本発明の他の目的は、薄板状の被破砕物だけでなく大きい丸い石の破砕不能状態も解消する２軸ロールクラッシャの流動制御装置及びその流動制御方法を提供することにある。
【００１１】
本発明の更に他の目的は、連続流れの状態を変えて破砕不能状態を解消する２軸ロールクラッシャの流動制御装置及びその流動制御方法を提供することにある。
【００１２】
【課題を解決するための手段】
本発明１の２軸ロールクラッシャの流動制御装置は、
駆動される２軸と、
前記２軸にそれぞれに放射状に延びる複数体の破砕刃を備え対向して互いに逆方向に回転する２体の破砕用ロールとからなる２軸ロールクラッシャにおいて、
前記破砕用ロールにより被破砕物が破砕される破砕空間の上方に位置する投入空間にある被破砕物を一時的に両側から押さえて強制的に停留させることにより被破砕物の流動を制御するための強制停留手段を備え、
前記強制停留手段は、
前記被破砕物を一方側から挟圧するための挟圧用対向体と、
前記挟圧用対向体に対して前記２軸が並ぶ方向に可動であり前記被破砕物を他方側から挟圧するための挟圧用可動体とからなる。
【００１３】
本発明２の２軸ロールクラッシャの流動制御装置は、
駆動される２軸と、
前記２軸にそれぞれに放射状に延びる複数体の破砕刃を備え対向して互いに逆方向に回転する２体の破砕用ロールとからなる２軸ロールクラッシャにおいて、
前記破砕用ロールにより被破砕物が破砕される破砕空間の上方に位置する投入空間にある大きい被破砕物を一時的に両側から押さえて強制的に停留させることにより被破砕物の流動を制御するための強制停留手段を備え、
前記強制停留手段は、
前記被破砕物を一方側から挟圧するための挟圧用対向体と、
前記挟圧用対向体に対して前記２軸が並ぶ方向に可動であり前記被破砕物を他方側から挟圧するための挟圧用可動体とからなる。
【００１４】
本発明３の２軸ロールクラッシャの流動制御装置は、
駆動される２軸と、
前記２軸にそれぞれに放射状に延びる複数体の破砕刃を備え対向して互いに逆方向に回転する２体の破砕用ロールとからなる２軸ロールクラッシャにおいて、
前記破砕用ロールにより被破砕物が破砕される破砕空間の上方に位置する投入空間で前記破砕用ロールにより破砕されずに浮いた状態にある被破砕物を一時的に両側から押さえて強制的に停留させることにより被破砕物の流動を制御するための強制停留手段を備え、
前記強制停留手段は、
前記被破砕物を一方側から挟圧するための挟圧用対向体と、
前記挟圧用対向体に対して前記２軸が並ぶ方向に可動であり前記被破砕物を他方側から挟圧するための挟圧用可動体とからなる。
【００１５】
本発明４の２軸ロールクラッシャの流動制御装置は、
前記発明１〜３において、
前記挟圧用対向体と前記挟圧用可動体により被破砕物を破砕するパワーを持った破砕用可動手段により前記挟圧用可動体が駆動される。
【００１６】
本発明５の２軸ロールクラッシャの流動制御装置は、
前記発明４において、
前記挟圧用対向体又は前記挟圧用可動体は破砕用刃面を備える。
【００１７】
本発明６の２軸ロールクラッシャの流動制御装置は、
前記発明５において、
前記破砕用可動手段は油圧シリンダである。
【００２１】
本発明７の２軸ロールクラッシャの流動制御方法は、駆動される２軸にそれぞれに放射状に延びる複数体の破砕刃を備え対向して互いに逆方向に回転する２体の破砕用ロールが被破砕物を破砕する破砕空間Ｓ２における破砕不能状態時に、投入空間Ｓ１の被破砕物を両側から強制的に挟圧して連続流れを強制的に停滞させ、複数体の被破砕物が前記破砕用ロールの両側の破砕刃により挟圧される多点挟圧系の被破砕物の破砕条件を変化させる。
【００２２】
本発明による２軸ロールクラッシャの流動制御装置は、多点接触系の状態を変更することができる。破砕空間にある様々な形状の石に挟まれて上方の投入空間にある大きい石を挟圧して位置変化を起こすと、破砕不能になった多点接触系の状態が破砕可能状態に復元する。
【００２３】
前記した大きい石を挟圧して更に破砕することにより前記復元が促進される。こ場合、挟圧手段は破砕手段を兼ねている。破砕手段に更に排除手段を兼ねさせることができる。
【００２４】
【発明の実施の形態】
次に、本発明による２軸ロールクラッシャの流動制御装置の実施の形態を説明する。図１及び図２は、本発明の２軸ロールクラッシャの流動制御装置の実施形態１をそれぞれに示す正面断面図及び平面図である。クラッシャ本体台面１上に、駆動系側ケーシング２及び被駆動系側ケーシング３が固定され設けられている。
【００２５】
被駆動系側ケーシング３内に駆動用油圧ユニット４が配置され設けられている。被駆動系側ケーシング３の側壁３Ａに２基の油圧モータ５，６が固定され設けられている。油圧モータ５，６の出力軸にそれぞれに駆動２軸７，８が接続されている。
【００２６】
駆動２軸７，８は、断面が四角形である。駆動２軸７，８に破砕刃９，１１が固定されている。駆動２軸７，８と破砕刃９，１１との間には、それぞれに、円筒体１２，１３及び弦月形状のスペーサ１４，１５が介設されている。円筒体１２，１３及び弦月形状のスペーサ１４，１５の介設は、破砕刃９、１１と駆動２軸７、８の回転方向の固定力を強化している。
【００２７】
破砕用ロール１６は、駆動軸７と破砕刃９とから構成されている。破砕用ロール１７は、駆動軸８と破砕刃１１とから構成されている。破砕用ロール１６及び破砕用ロール１７は、破砕機ケーシング１８内に据え付けられている。破砕機ケーシング１８内に、後述する破砕空間Ｓが形成されている。
【００２８】
両破砕刃９，１１は、駆動２軸にそれぞれに放射状に延びる複数体から構成されている。両破砕刃９，１１の多数体は、各駆動軸７，８に軸方向に並んで取りつけられている。両破砕刃９，１１は、互いに逆方向に回転する。
【００２９】
即ち、軸方向から見て、右側の破砕刃９は反時計方向に回転し、左側の破砕刃１１は時計方向に回転する。両駆動軸は、水平方向に向き互いに平行である。一方の破砕刃９又は１１の隣り合う２体の間に他方の側の破砕刃１１又は９の一体が挟まれる位置にある。
【００３０】
破砕機ケーシング１８の内部の上方部に、被破砕物を下方に誘導する投入用ケーシング１９が設けられている。強制停留手段２１が、投入用ケーシング１９等に固定されて設けられている。強制停留手段２１は、破砕用ロール１６，１７により被破砕物が破砕される破砕空間の上方に位置する投入空間にある被破砕物を一時的に両側から押さえて強制的に停留させる機能を備えている。この機能により、被破砕物の流動を制御することができる。
【００３１】
強制停留手段２１は、被破砕物を一方側から挟圧するための挟圧用対向体２２と挟圧用対向体２２に対して駆動２軸７，８が並ぶ方向に可動であり被破砕物を他方側から挟圧するための挟圧用可動体２３とから構成されている。
【００３２】
挟圧用対向体２２は、投入用ケーシング１９の内面側に固定されている。挟圧用可動体２３は、投入用ケーシング１９の内側に可動的に設けられている。挟圧用対向体２２は、挟圧用可動体２３に対向する固定側挟圧面２４を有している。挟圧用可動体２３は、挟圧用対向体２２に対向する可動側挟圧面２５を有している。固定側挟圧面２４と可動側挟圧面２５は、概ね平行である。
【００３３】
固定側挟圧面２４と可動側挟圧面２５は、駆動２軸７，８が対向する方向に直交し、例えば、概ね鉛直面である。即ち、固定側挟圧面２４と可動側挟圧面２５は軸直角面に直交している。挟圧用可動体２３は、駆動系側ケーシング２に固定された線形駆動手段である油圧シリンダ２７の伸縮端に固定されている。油圧シリンダ２７には、油圧ホース２８を介して駆動用油圧ユニット４から作動用の圧油の供給を受ける。
【００３４】
図３は、挟圧用可動体２３を示す平面図である。軸方向に長く延びる挟圧用可動体２３は先端を先鋭にするために薄い板状体で形成されているが、強化構造のために複数の強化板３１が溶接により取りつけられている。挟圧用可動体２３は、両側（図は片側のみを示す）のガイド３２によりその前進後退を案内される。可動側挟圧面の左右端部は、挟圧された被破砕物を逃すための斜面３４に形成されている。
【００３５】
破砕刃９，１１は、回転方向前方に前面として破砕用刃面４１，４２を有している。破砕刃面４１は曲面であるが、回転軸７，８の軸心線を含み刃面の根元部を通る平面に対して半径方向外側が回転方向前方に傾斜する傾斜面に概ね形成されている。同一位相の対向するこのような２傾斜面は、これらの間にある被破砕物を内側に送り込むように挟圧する作用面を形成している。
【００３６】
図４は、本発明による２軸ロールクラッシャの流動制御装置の作用状態の瞬間の例を示している。左右の破砕用ロール１６と破砕用ロール１７の破砕刃９と破砕刃１１は、同一位相にある（厳密にいえば、互いに逆回転方向に同一位相にある。）。即ち、左側の破砕刃１１Ａと右側の破砕刃９Ａは同一位相にある。
【００３７】
この作用状態は、左右の破砕用ロール１６と破砕用ロール１７の破砕刃９と破砕刃１１との間で即ち破砕空間Ｓ２で複数の比較的に小さい石が挟圧され、１つの小石が左右の石で挟圧され、左右の石の間で投入空間Ｓ２にある比較的に大きい石が挟圧されているが、油圧シリンダ２７のフルパワーによっては破砕されない破砕不能状態である。
【００３８】
ここで、破砕空間Ｓ２とは両側の破砕刃９，１１に直接に挟圧されて破砕される被破砕物が占める空間をいう。投入空間Ｓ１は、破砕空間Ｓ２より上方に位置する空間をいう。排出空間Ｓ３は、破砕空間Ｓ２より下方に位置する空間をいう。破砕空間Ｓは、投入空間Ｓ１と破砕空間Ｓ２と排出空間Ｓ３とから形成されている。
【００３９】
図４の状態の多点挟圧接触系を構成する複数の石に油圧モータ５，６の破砕用エネルギーが分散し、また、この多点系はこのように分散したエネルギーでは各石の歪み部分が破壊されないような位置関係を形成している。
【００４０】
このような状態にある大きい石に油圧シリンダ２７のエネルギーを付加すると、破砕条件が相変化を起こすために、この大きい石が一瞬に破砕される。このような破砕が起こると、両側の破砕刃のエネルギーの一部を受けまだ破砕されていない石の崩壊が起こることがある。
【００４１】
図５は、油圧シリンダ２７により大きい石が破砕されない場合でも、油圧シリンダ２７により挟圧用対向体２２と挟圧用可動体２３の間に挟圧された瞬間に大きい石の位置変化が起こり、両破砕刃が大きい石に分散させて与えていたエネルギー分がその他の石に付加され、その他の石の歪みの分布位置関係も変化して、一瞬に破砕が起こることがある。
【００４２】
このように被破砕物の連続流れを強制的に停留させ変化させることにより、破砕不能状態を解消して破砕可能状態を復元し、元の連続流れに戻すことができる。可動側挟圧体２３の往復運動は、定期的に行うことも油圧モータのトルクの値を検出して行うこともできる。
【００４３】
破砕が起きない場合は、投入空間の被破砕物を破砕空間外へ排除して再び投入空間に戻す。挟圧用対向体と挟圧用可動体により被破砕物を破砕するパワーを持った破砕用可動手段は、挟圧用対向体と挟圧用可動体により被破砕物を挟圧して投入空間から機外空間へ排除する排除手段を兼ねる。
【００４４】
このような排除手段は、油圧シリンダの一部を回転自在に支持し挟圧用可動体の両側に握り爪を取りつけたものである。挟圧用対向体と挟圧用可動体で破砕不能の被破砕物を挟圧した状態で握り爪により両側から挟んだ後に、挟圧用可動体を後退させ破砕用可動手段である油圧シリンダを回転させ、破砕不能物を破砕空間Ｓ外に排除する。
【００４５】
【発明の効果】
本発明による２軸ロールクラッシャの流動制御装置は、連続流れを完全にとめることなく破砕不能状態を解消することができる。大小の石、平板状のアスファルト廃棄物、コンクリート廃棄物が混入した１次破砕物の２次破砕の破砕能率が大幅に向上する。
【図面の簡単な説明】
【図１】図１は、本発明の２軸ロールクラッシャの流動制御装置の実施の形態を示す正面断面図である。
【図２】図２は、図１の平面図である。
【図３】図３は、可動側挟圧体の部分を示す平面図である。
【図４】図４は、作用状態示す正面断面図である。
【図５】図５は、他の作用状態示す正面断面図である。
【符号の説明】
４…駆動用油圧ユニット
７…駆動軸
８…駆動軸
９…破砕刃
１１…破砕刃
１６…破砕用ロール
１７…破砕用ロール
２１…強制停留手段
２２…挟圧用対向体
２３…挟圧用可動体
２４…固定側挟圧面
２５…可動側挟圧面
【図１】
0003713331.tif 000002
【図２】
0003713331.tif 000003
【図３】
0003713331.tif 000004
【図４】
0003713331.tif 000005
【図５】
0003713331.tif 000006